(57)【要約】【課題】本発明は、屈曲したスリーブを基礎配筋内に簡単かつ確実に取付けることが出来るスリーブ支持具およびスリーブ固定構造を提供することを課題とする。【解決手段】針金を円環状に一巻きし、両端部にフック部８Ａを形成したスリーブ前部支持具５Ａと、針金を円環状に一巻きし、両端部を上方に湾曲してつまみ部１０Ａを形成し、更に左右に延長して波形に屈曲させて取付部１１Ａを形成したスリーブ後部支持具６Ａとからなるスリーブ支持具４Ａを提供する。この場合、基礎配筋１のピッチが種々異なる場合であっても、スリーブ３の左右位置を調節できるため、該配筋１のピッチへの対応を簡単に行なうことが可能となり、かつ、十分な固定強度でスリーブ３を支持固定することが出来るため、コンクリートを打設する際にスリーブ３の固定位置がずれることがない。【選択図】    図１
2005083127.tif 000002
【特許請求の範囲】
【請求項１】
針金を円環状に一巻きし、両端部にフック部を形成したスリーブ前部支持具と、針金を円環状に一巻きし、両端部を上方に湾曲してつまみ部を形成し、更に左右に延長して波形に屈曲させて取付部を形成したスリーブ後部支持具とからなることを特徴とするスリーブ支持具。
【請求項２】
針金を円環状に一巻きし、両端部にフック部を形成したスリーブ前部支持具と、針金を円環状に一巻きし、両端部を左右に延長し、該延長部分に所定間隔を設けて複数個の小リングを取付けて取付部を形成したスリーブ後部支持具とからなることを特徴とするスリーブ支持具。
【請求項３】
針金を円環状に一巻きし、両端部にフック部を形成して滑り止め部材を被覆したスリーブ前部支持具と、針金を円環状に一巻きし、両端部を上方に湾曲してつまみ部を形成し、更に左右に延長して滑り止め部材を被覆したスリーブ後部支持具とからなることを特徴とするスリーブ支持具。
【請求項４】
針金を円環状に一巻きし、両端部にフック部を形成して滑り止め部材を被覆したスリーブ前部支持具と、針金を円環状に一巻きし、両端部を左右に延長して滑り止め部材を被覆したスリーブ後部支持具とからなることを特徴とするスリーブ支持具。
【請求項５】
基礎配筋に排水管を挿通するためのスリーブを固定した上でコンクリートを建込んで建物基礎を構築する際、請求項１に記載のスリーブ前部支持具を該スリーブの前部に取付け、該スリーブ前部支持具のフック部を該基礎配筋の横方向に配されている鉄筋の一つに引掛け、請求項１に記載のスリーブ後部支持具を該スリーブの後部に取付け、該スリーブ後部支持具の左右の波形取付部の一つの山形単位波形を選んで、該単位波形を該基礎配筋の縦方向に配されている鉄筋の上にそれぞれ位置せしめ結着したことを特徴とする基礎配筋内におけるスリーブ固定構造。
【請求項６】
基礎配筋に排水管を挿通するためのスリーブを固定した上でコンクリートを建込んで建物基礎を構築する際、請求項２に記載のスリーブ前部支持具を該スリーブの前部に取付け、該スリーブ前部支持具のフック部を該基礎配筋の横方向に配されている鉄筋の一つに引掛け、請求項２に記載のスリーブ後部支持具を該スリーブの後部に取付け、該スリーブ後部支持具の左右の取付部の一組の小リングを選んで、該小リング間に該基礎配筋の縦方向に配されている鉄筋をそれぞれ位置せしめ結着したことを特徴とする基礎配筋内におけるスリーブ固定構造。
【請求項７】
基礎配筋に排水管を挿通するためのスリーブを固定した上でコンクリートを建込んで建物基礎を構築する際、請求項３に記載のスリーブ前部支持具を該スリーブの前部に取付け、該スリーブ前部支持具のフック部を該基礎配筋の横方向に配されている鉄筋の一つに引掛け、請求項３に記載のスリーブ後部支持具を該スリーブの後部に取付けて、該スリーブ後部支持具を該基礎配筋の縦方向に配されている鉄筋に結着したことを特徴とする基礎配筋内におけるスリーブ固定構造。
【請求項８】
基礎配筋に排水管を挿通するためのスリーブを固定した上でコンクリートを建込んで建物基礎を構築する際、請求項４に記載のスリーブ前部支持具を該スリーブの前部に取付け、該スリーブ前部支持具のフック部を該基礎配筋の横方向に配されている鉄筋の一つに引掛け、請求項４に記載のスリーブ後部支持具を該スリーブの後部に取付けて、該スリーブ後部支持具を該基礎配筋の縦方向に配されている鉄筋に結着したことを特徴とする基礎配筋内におけるスリーブ固定構造。
【発明の詳細な説明】
【技術分野】
【０００１】
本発明は建物の基礎配筋に排水管を挿通させるときに使用するスリーブを支持するためのスリーブ支持具および基礎配筋内におけるスリーブ固定構造に関する。
【背景技術】
【０００２】
従来、鉄筋にスリーブを取付け固定するスリーブ固定治具として、鉄筋に係合固定される鉄筋係合部と、スリーブを保持するスリーブ保持具と、鉄筋とスリーブとの間隔を調節・保持する間隔保持部とからなるスリーブ固定治具が提供されている（特許文献１参照）。
【０００３】
また、弾性的に変形可能な保持環と、該保持環の左右側部および下部に付設される回動自在な取付片と、該取付片の先端に首振り自在に取付けられている固定クリップとからなるスリーブ固定用金具が提供されている（特許文献２参照）。
【０００４】
更に、スリーブを保持するためのスリーブ保持部と、鉄筋に嵌着するためのクリップ部と、該スリーブ保持部と該クリップ部との間に介設されるアーム部とからなるスリーブ固定具が提供されている（特許文献３参照）。
【０００５】
【特許文献１】特開２０００−２４８７３９号公報（第２−３頁、第１図）
【特許文献２】特開平０８−０４２１４０号公報（第２−３頁、第１図）
【特許文献３】特開２００２−０４７７９６号公報（第３−４頁、第１図）
【発明の開示】
【発明が解決しようとする課題】
【０００６】
しかしながら上記従来のスリーブ固定治具では、間隔保持部が塑性変形可能な軟鋼からなるため、該間隔保持部を折り曲げて鉄筋とスリーブとの間隔を調節した場合に、折曲げ形状が変形し易いという問題があった。
【０００７】
また、上記従来のスリーブ固定用金具では、固定クリップによる固定が不安定であり、かつ、該固定クリップが滑りやすいという問題があった。
【０００８】
更に、上記従来のスリーブ固定具では、アーム部の長さが固定されているため、鉄筋とスリーブとの間隔を調節することが出来ず、スリーブの左右位置を調節することが出来ないという問題があった。
【０００９】
そして、これらのスリーブ支持具は、いずれも直管のスリーブを支持するためものであって、屈曲したスリーブを支持するためのスリーブ支持具は提供されていなかった。
そこで、屈曲したスリーブを基礎配筋内で支持する場合には、針金等を用いてスリーブを配筋に固定する方法がとられていたが、その場合、特に基礎配筋のピッチが種々異なる場合には、該配筋のピッチに対応させてスリーブを針金等で固定するのに大変な手間や労力を要するという問題があり、更に、スリーブの固定が十分でないため、コンクリートを打設する際にスリーブの固定位置がずれてしまうという問題があった。
【課題を解決するための手段】
【００１０】
本発明は上記従来の課題を解決するための手段として、針金を円環状に一巻きし、両端部にフック部(8A)を形成したスリーブ前部支持具(5A)と、針金を円環状に一巻きし、両端部を上方に湾曲してつまみ部(10A) を形成し、更に左右に延長して波形に屈曲させて取付部(11A) を形成したスリーブ後部支持具(6A)とからなるスリーブ支持具(4A)を提供するものである。
また、基礎配筋(1) に排水管(2) を挿通するためのスリーブ(3) を固定した上でコンクリートを建込んで建物基礎を構築する際、上記スリーブ前部支持具(5A)を該スリーブ(3) の前部に取付け、該スリーブ前部支持具(5A)のフック部(8A)を該基礎配筋(1) の横方向に配されている鉄筋(12)の一つに引掛け、上記スリーブ後部支持具(6A)を該スリーブ(3) の後部に取付け、該スリーブ後部支持具(6A)の左右の波形取付部(11A) の一つの山形単位波形を選んで、該単位波形を該基礎配筋(1) の縦方向に配されている鉄筋(13)の上にそれぞれ位置せしめ結着した基礎配筋(1) 内におけるスリーブ固定構造が提供される。
【００１１】
また本発明では、針金を円環状に一巻きし、両端部にフック部(8B)を形成したスリーブ前部支持具(5B)と、針金を円環状に一巻きし、両端部を左右に延長し、該延長部分に所定間隔を設けて複数個の小リング(14B) を取付けて取付部(11B) を形成したスリーブ後部支持具(6B)とからなるスリーブ支持具(4B)が提供される。
また、基礎配筋(1) に排水管(2) を挿通するためのスリーブ(3) を固定した上でコンクリートを建込んで建物基礎を構築する際、上記スリーブ前部支持具(5B)を該スリーブ(3) の前部に取付け、該スリーブ前部支持具(5B)のフック部(8B)を該基礎配筋(1) の横方向に配されている鉄筋(12)の一つに引掛け、上記スリーブ後部支持具(6B)を該スリーブ(3) の後部に取付け、該スリーブ後部支持具(6B)の左右の取付部(11B) の一組の小リング(14B) を選んで、該小リング(14B) 間に該基礎配筋(1) の縦方向に配されている鉄筋(13)をそれぞれ位置せしめ結着した基礎配筋(1) 内におけるスリーブ固定構造が提供される。
【００１２】
更に本発明では、針金を円環状に一巻きし、両端部にフック部(8C)を形成して滑り止め部材(16C) を被覆したスリーブ前部支持具(5C)と、針金を円環状に一巻きし、両端部を上方に湾曲してつまみ部(10C) を形成し、更に左右に延長して滑り止め部材(17C) を被覆したスリーブ後部支持具(6C)とからなるスリーブ支持具(4C)が提供される。
また、基礎配筋(1) に排水管(2) を挿通するためのスリーブ(3) を固定した上でコンクリートを建込んで建物基礎を構築する際、上記スリーブ前部支持具(5C)を該スリーブ(3) の前部に取付け、該スリーブ前部支持具(5C)のフック部(8C)を該基礎配筋(1) の横方向に配されている鉄筋(12)の一つに引掛け、上記スリーブ後部支持具(6C)を該スリーブ(3) の後部に取付けて、該スリーブ後部支持具(6C)を該基礎配筋(1) の縦方向に配されている鉄筋(13)に結着した基礎配筋(1) 内におけるスリーブ固定構造が提供される。
【００１３】
また更に本発明では、針金を円環状に一巻きし、両端部にフック部(8D)を形成して滑り止め部材(16D) を被覆したスリーブ前部支持具(5D)と、針金を円環状に一巻きし、両端部を左右に延長して滑り止め部材(17D) を被覆したスリーブ後部支持具(6D)とからなるスリーブ支持具(4D)が提供される。
また、基礎配筋(1) に排水管(2) を挿通するためのスリーブ(3) を固定した上でコンクリートを建込んで建物基礎を構築する際、上記スリーブ前部支持具(5D)を該スリーブ(3) の前部に取付け、該スリーブ前部支持具(5D)のフック部(8D)を該基礎配筋(1) の横方向に配されている鉄筋(12)の一つに引掛け、上記スリーブ後部支持具(6D)を該スリーブ(3) の後部に取付けて、該スリーブ後部支持具(6D)を該基礎配筋(1) の縦方向に配されている鉄筋(13)に結着した基礎配筋(1) 内におけるスリーブ固定構造が提供される。
【発明の効果】
【００１４】
本発明では、スリーブ支持具(4A,4B,4C,4D) を使用して建物の基礎配筋(1) 内にスリーブ(3) を固定することによって、屈曲したスリーブ(3) を基礎配筋(1) 内に簡単かつ確実に取付けることが出来る。
特に、基礎配筋(1) のピッチが種々異なる場合であっても、スリーブ(3) の左右位置を調節できるため、該配筋(1) のピッチへの対応を簡単に行なうことが可能となり、かつ、十分な固定強度でスリーブ(3) を支持固定することが出来るため、コンクリートを打設する際にスリーブ(3) の固定位置がずれることがない。
【発明を実施するための最良の形態】
【００１５】
以下、本発明を実施例１〜実施例４により詳細に説明する。
【実施例１】
【００１６】
本発明を図１〜図６に示す一実施例によって説明する。
図１に示すように、建物の基礎配筋(1) に可撓管である排水管(2) を挿通させるときに使用するスリーブ(3) を支持するためのスリーブ支持具(4A)は、該スリーブ(3) の前部（屋外側）を配筋(1) に支持固定するためのスリーブ前部支持具(5A)と、該スリーブ(3) の後側（屋内側）を配筋(1) に支持固定するためのスリーブ後部支持具(6A)とからなる。
【００１７】
図２および図３に示すように、該スリーブ前部支持具(5A)は、バネ鋼である針金を円環状に一巻きして中央部にスリーブ保持部(7A)が形成されており、かつ、両端部は屈曲されてフック部(8A)が形成されている。
なお、該スリーブ前部支持具(5A)のスリーブ保持部(7A)の径は、スリーブ(3) の径よりも若干小さく設定されている。
【００１８】
図４および図５に示すように、該スリーブ後部支持具(6A)は、バネ鋼である針金を円環状に一巻きして中央部にスリーブ保持部(9A)が形成されており、かつ、両端部は上方に湾曲されてつまみ部(10A) が形成されており、更に左右に延長して波形に屈曲されて取付部(11A) が形成されている。
なお、該スリーブ後部支持具(6A)のスリーブ保持部(9A)の径は、スリーブ(3) の径よりも若干小さく設定されている。
【００１９】
図６に示すように、上記スリーブ支持具(4A)を使用して、建物の基礎配筋(1) に排水管(2) を挿通するためのスリーブ(3) を固定し、コンクリートを打設して建物基礎を構築する場合には、まず、上記スリーブ前部支持具(5A)のフック部(8A)を掴んで、該スリーブ前部支持具(5A)の弾性力に抗してスリーブ保持部(7A)を押し拡げ、該スリーブ保持部(7A)内にスリーブ(3) の前部（屋外側）を挿入して、該スリーブ前部支持具(5A)を該スリーブ(3) の前部に取付ける。
そして、該スリーブ前部支持具(5A)のフック部(8A)を建物の基礎配筋(1) の横方向に配されている鉄筋(12)の一つに引掛けて、ピアノ線（図示せず）や針金などで該フック部(8A)と該鉄筋(12)とを結着する。
【００２０】
次に、上記スリーブ後部支持具(6A)のつまみ部(10A) を掴んで、該スリーブ後部支持具(6A)の弾性力に抗してスリーブ保持部(9A)を押し拡げ、該スリーブ保持部(9A)内にスリーブ(3) の後部（屋内側）を挿入して、該スリーブ後部支持具(6A)を該スリーブ(3) の後部に取付ける。
そして、該スリーブ後部支持具(6A)の左右の波形取付部(11A) の一つの山形単位波形を選んで、該単位波形を該基礎配筋(1) の縦方向に配されている鉄筋(13)の上にそれぞれ位置させて、ピアノ線（図示せず）や針金などで該取付部(11A) と該鉄筋(13)とをそれぞれ結着する。
【００２１】
このように、上記スリーブ支持具(4A)を使用して建物の基礎配筋(1) 内にスリーブ(3) を固定することによって、屈曲したスリーブ(3) を基礎配筋(1) 内に簡単かつ確実に取付けることが出来る。
特に、建物の基礎配筋(1) のピッチが種々異なる場合であっても、スリーブ後部支持具(6A)の波形取付部(11A) の複数個の凹部のうち一つを選択することにより、スリーブ(3) の左右位置を調節できるため、該配筋(1) のピッチへの対応を簡単に行なうことが可能となり、かつ、十分な固定強度でスリーブ(3) を支持固定することが出来るため、コンクリートを打設する際にスリーブ(3) の固定位置がずれることがない。
また、建物の基礎配筋(1) に取付けたスリーブ前部支持具(5A)は、該基礎配筋(1) から外側に突出しない寸法にされているため（図６参照）、該基礎配筋(1) へのコンクリートのかぶり厚を十分確保することが出来る。
【実施例２】
【００２２】
図７および図８には他の実施例が示される。
本実施例のスリーブ支持具(4B)は、バネ鋼である針金を円環状に一巻きして中央部にスリーブ保持部(7B)を形成し、両端部にフック部(8B)を形成したスリーブ前部支持具(5B)と、バネ鋼である針金を円環状に一巻きして中央部にスリーブ保持部(9B)を形成し、かつ、両端部を左右に延長して、該延長された部分に所定間隔を設けた複数個の小リング(14B) を有するゴムキャップ(15B) を嵌着して取付部(11B) を形成したスリーブ後部支持具(6B)とからなる。
なお、該スリーブ保持部(7B,9B) の径は、スリーブ(3) の径よりも若干小さく設定されている。
【００２３】
上記スリーブ支持具(4B)を使用して、建物の基礎配筋(1) に排水管(2) を挿通するためのスリーブ(3) を固定し、コンクリートを打設して建物基礎を構築する場合、まず、実施例１と同様にして、スリーブ前部支持具(5B)を該スリーブ(3) の前部に取付け、該スリーブ前部支持具(5B)のフック部(8B)を該基礎配筋(1) の横方向に配されている鉄筋(12)の一つに引掛けて、該フック部(8B)と該鉄筋(12)とを結着する。
【００２４】
次に、上記スリーブ後部支持具(6B)の両端部の取付部(11B) を掴んで、該スリーブ後部支持具(6B)の弾性力に抗してスリーブ保持部(9B)を押し拡げ、該スリーブ保持部(9B)内にスリーブ(3) の後部（屋内側）を挿入して、該スリーブ後部支持具(6B)を該スリーブ(3) の後部に取付ける。
そして、該スリーブ後部支持具(6B)の左右の小リング(14B) の一組を選択して、該小リング(14B) 間に該基礎配筋(1) の縦方向に配されている鉄筋(13)をそれぞれ位置させて、ピアノ線（図示せず）や針金などで該取付部(11B) と該鉄筋(13)とをそれぞれ結着する。
【００２５】
このように、上記スリーブ支持具(4B)を使用して建物の基礎配筋(1) 内にスリーブ(3) を固定することによっても、実施例１と同様、屈曲したスリーブ(3) を基礎配筋(1) 内に簡単かつ確実に取付けることが出来る。
特に、建物の基礎配筋(1) のピッチが種々異なる場合であっても、スリーブ後部支持具(6B)の取付部(11B) のゴムキャップ(15B) の小リング(14B) の一組を選択することにより、スリーブ(3) の左右位置を調節できるため、該配筋(1) のピッチへの対応を簡単に行なうことが可能となり、かつ、十分な固定強度でスリーブ(3) を支持固定することが出来るため、コンクリートを打設する際にスリーブ(3) の固定位置がずれることがない。
また、建物の基礎配筋(1) に取付けたスリーブ前部支持具(5B)は、該基礎配筋(1) から外側に突出しない寸法にされているため、該基礎配筋(1) へのコンクリートのかぶり厚を十分確保することが出来る。
【実施例３】
【００２６】
図９には更に他の実施例が示される。
本実施例のスリーブ支持具(4C)は、バネ鋼である針金を円環状に一巻きして中央部にスリーブ保持部(7C)を形成し、両端部にフック部(8C)を形成して滑り止め部材である軟質チューブ(16C) を被覆したスリーブ前部支持具(5C)と、バネ鋼である針金を円環状に一巻きして中央部にスリーブ保持部(9C)を形成し、両端部を上方に湾曲してつまみ部(10C) を形成し、更に左右に延長して滑り止め部材である軟質チューブ(17C) を被覆したスリーブ後部支持具(6C)とからなる。
なお、該スリーブ保持部(7C,9C) の径は、スリーブ(3) の径よりも若干小さく設定されている。
また、該軟質チューブ(16C,17C) の材料としては、例えば、ゴム、軟質塩化ビニル、シリコーンゴム等が使用される。
【００２７】
上記スリーブ支持具(4C)を使用して、建物の基礎配筋(1) に排水管(2) を挿通するためのスリーブ(3) を固定し、コンクリートを打設して建物基礎を構築する場合、まず、実施例１と同様にして、スリーブ前部支持具(5C)を該スリーブ(3) の前部に取付け、スリーブ前部支持具(5C)のフック部(8C)を該基礎配筋(1) の横方向に配されている鉄筋(12)の一つに引掛けて、軟質チューブ(16C) が被覆されたフック部(8C)と該鉄筋(12)とをピアノ線（図示せず）や針金などで結着する。
【００２８】
次に、上記スリーブ後部支持具(6C)のつまみ部(10C) を掴んで、実施例１と同様にして、スリーブ後部支持具(6C)を該スリーブ(3) の後部に取付ける。
そして、該スリーブ後部支持具(6C)の両端部を該基礎配筋(1) の縦方向に配されている鉄筋(13)の上にそれぞれ位置させて、軟質チューブ(17C) が被覆された両端部と該鉄筋(13)とをピアノ線（図示せず）や針金などでそれぞれ結着する。
【００２９】
このように、上記スリーブ支持具(4C)を使用して建物の基礎配筋(1) 内にスリーブ(3) を固定することによっても、実施例１と同様、屈曲したスリーブ(3) を基礎配筋(1) 内に簡単かつ確実に取付けることが出来る。
特に、建物の基礎配筋(1) のピッチが種々異なる場合であっても、軟質チューブ(17C) が被覆されたスリーブ後部支持具(6C)の両端部の任意の位置で鉄筋(13)との結着が出来るので、スリーブ(3) の左右位置を調節でき、該配筋(1) のピッチへの対応を簡単に行なうことが可能となる。
また、建物の基礎配筋(1) に取付けたスリーブ前部支持具(5C)は、該基礎配筋(1) から外側に突出しない寸法にされているため、該基礎配筋(1) へのコンクリートのかぶり厚を十分確保することが出来る。
【００３０】
また、該スリーブ前部支持具(5C)のフック部(8C)および該スリーブ後部支持具(6C)の両端部は軟質チューブ(16C,17C) で被覆されているため、該フック部(8C)および該両端部を鉄筋(12,13) 上に位置させて仮置きした場合に、該軟質チューブ(16C,17C) と該鉄筋(12,13) との間の摩擦力が大きく該スリーブ後部支持具(6C)が滑ることがないので、位置決めが非常に容易となる。
更に、該フック部(8C)および該両端部が軟質チューブ(16C,17C) で被覆されているため、該スリーブ後部支持具(6C)の両端部と鉄筋(12,13) とを結着した場合に、該軟質チューブ(16C,17C) が該鉄筋(12,13) に食い込んで、十分な固定強度でスリーブ(3) を支持固定することが出来、コンクリートを打設する際にスリーブ(3) の固定位置がずれることがない。
また更に、該フック部(8C)と鉄筋(12)との間および該両端部と鉄筋(13)との間に該軟質チューブ(16C,17C) がそれぞれ介在するため、該フック部(8C)または該両端部と該鉄筋(12,13) が直接接触することがなく、該スリーブ後部支持具(6C)と該鉄筋とが異種の金属であっても、電食が生じることがない。
【実施例４】
【００３１】
図１０にはまた更に他の実施例が示される。
本実施例のスリーブ支持具(4D)は、バネ鋼である針金を円環状に一巻きして中央部にスリーブ保持部(7D)を形成し、両端部にフック部(8D)を形成して滑り止め部材である軟質チューブ(16D) を被覆したスリーブ前部支持具(5D)と、バネ鋼である針金を円環状に一巻きして中央部にスリーブ保持部(9D)を形成し、両端部を左右に延長して滑り止め部材である軟質チューブ(17D) を被覆したスリーブ後部支持具(6D)とからなる。
なお、該スリーブ保持部(7D,9D) の径は、スリーブ(3) の径よりも若干小さく設定されている。
また、該軟質チューブ(16D,17D) の材料としては、実施例３と同様の材料が使用される。
【００３２】
上記スリーブ支持具(4D)を使用して、建物の基礎配筋(1) に排水管(2) を挿通するためのスリーブ(3) を固定し、コンクリートを打設して建物基礎を構築する場合、まず、実施例１と同様にして、スリーブ前部支持具(5D)を該スリーブ(3) の前部に取付け、スリーブ前部支持具(5D)のフック部(8D)を該基礎配筋(1) の横方向に配されている鉄筋(12)の一つに引掛けて、軟質チューブ(16D) が被覆されたフック部(8D)と該鉄筋(12)とをピアノ線（図示せず）や針金などで結着する。
【００３３】
次に、上記スリーブ後部支持具(6D)の両端部を掴んで、実施例２と同様にして、スリーブ後部支持具(6D)を該スリーブ(3) の後部に取付ける。
そして、実施例３と同様にして、該スリーブ後部支持具(6D)の両端部を該基礎配筋(1) の縦方向に配されている鉄筋(13)の上にそれぞれ位置させて、軟質チューブ(17D) が被覆された両端部と該鉄筋(13)とをピアノ線（図示せず）や針金などでそれぞれ結着する。
【００３４】
このように、上記スリーブ支持具(4D)を使用して建物の基礎配筋(1) 内にスリーブ(3) を固定することによっても、実施例１と同様、屈曲したスリーブ(3) を基礎配筋(1) 内に簡単かつ確実に取付けることが出来る。
特に、建物の基礎配筋(1) のピッチが種々異なる場合であっても、軟質チューブ(17D) が被覆されたスリーブ後部支持具(6D)の両端部の任意の位置で鉄筋(13)との結着が出来るので、スリーブ(3) の左右位置を調節でき、該配筋(1) のピッチへの対応を簡単に行なうことが可能となる。
また、建物の基礎配筋(1) に取付けたスリーブ前部支持具(5D)は、該基礎配筋(1) から外側に突出しない寸法にされているため、該基礎配筋(1) へのコンクリートのかぶり厚を十分確保することが出来る。
【００３５】
また、実施例３と同様、該スリーブ前部支持具(5D)のフック部(8D)および該スリーブ後部支持具(6D)の両端部は軟質チューブ(16D,17D) で被覆されているため、該フック部(8D)および該両端部を鉄筋(12,13) 上に位置させて仮置きした場合に、該軟質チューブ(16D,17D) と該鉄筋(12,13) との間の摩擦力が大きく該スリーブ後部支持具(6D)が滑ることがないので、位置決めが非常に容易となる。
更に、該フック部(8D)および該両端部が軟質チューブ(16D,17D) で被覆されているため、該スリーブ後部支持具(6D)の両端部と鉄筋(12,13) とを結着した場合に、該軟質チューブ(16D,17D) が該鉄筋(12,13) に食い込んで、十分な固定強度でスリーブ(3) を支持固定することが出来、コンクリートを打設する際にスリーブ(3) の固定位置がずれることがない。
また更に、該フック部(8D)と鉄筋(12)との間および該両端部と鉄筋(13)との間に該軟質チューブ(16D,17D) がそれぞれ介在するため、該フック部(8D)または該両端部と該鉄筋(12,13) が直接接触することがなく、該スリーブ後部支持具(6D)と該鉄筋とが異種の金属であっても、電食が生じることがない。
【００３６】
以上、本発明の実施の形態を実施例１〜実施例４により説明したが、本発明の範囲はこれらに限定されるものではなく、請求項に記載された範囲内において目的に応じて変更・変形することが可能である。
例えば、上記スリーブ支持具(4A,4B,4C,4D) に用いられる針金は、ステンレス鋼であってもよい。
また、上記スリーブ支持具(4A,4B,4C,4D) は、通常の逃げ配管スリーブとして使用する基礎中通りスリーブ（ボイド管）の支持具として使用してもよい。
【産業上の利用可能性】
【００３７】
本発明は、建物の基礎配筋(1) に排水管(2) を挿通させるときに使用するスリーブ(3) を支持するためのスリーブ支持具(4A,4B,4C,4D) および基礎配筋(1) 内におけるスリーブ固定構造として、産業上利用することが出来る。
【図面の簡単な説明】
【００３８】
【図１】実施例１の斜視図である。
【図２】スリーブ前部支持具の正面図である。
【図３】スリーブ前部支持具の側面図である。
【図４】スリーブ後部支持具の正面図である。
【図５】スリーブ後部支持具の側面図である。
【図６】実施例１の説明側面図である。
【図７】実施例２の斜視図である。
【図８】実施例２のスリーブ後部支持具の正面図である。
【図９】実施例３の斜視図である。
【図１０】実施例４の斜視図である。
【符号の説明】
【００３９】
1             基礎配筋
2             排水管
3             スリーブ
4A,4B,4C,4D   スリーブ支持具
5A,5B,5C,5D   スリーブ前部支持具
6A,6B,6C,6D   スリーブ後部支持具
8A,8B,8C,8D   フック部
10A,10C       つまみ部
11A,11B       取付部
12            鉄筋
13            鉄筋
16C,16D       滑り止め部材（軟質チューブ）
17C,17D       滑り止め部材（軟質チューブ）
【図１】
2005083127.tif 000003
【図２】
2005083127.tif 000004
【図３】
2005083127.tif 000005
【図４】
2005083127.tif 000006
【図５】
2005083127.tif 000007
【図６】
2005083127.tif 000008
【図７】
2005083127.tif 000009
【図８】
2005083127.tif 000010
【図９】
2005083127.tif 000011
【図１０】
2005083127.tif 000012